【手続補正書】
【提出日】平成16年12月9日(2004.12.9)
【手続補正１】
【補正対象書類名】明細書
【補正対象項目名】発明の名称
【補正方法】変更
【補正の内容】
【発明の名称】データ処理システムおよびその方法
【手続補正２】
【補正対象書類名】明細書
【補正対象項目名】特許請求の範囲
【補正方法】変更
【補正の内容】
【特許請求の範囲】
【請求項１】
商品に関する顧客の受注履歴データおよび最新受注データが格納されたメモリを有するデータ処理装置のCPUによるデータ処理方法であって、
前記メモリに格納された顧客の受注履歴データ、および、統計学的確率分布に基づき、前記顧客の次回の注文に関する標準的な確率分布を演算する演算ステップと、
前記確率分布、および、前記メモリに格納された顧客ごとの最新受注データに基づき、顧客それぞれの受注確率を予測する予測ステップと、
前記顧客ごとの受注確率に基づき、全顧客から受注し得る前記商品の受注数ごとに、その受注数が発現する確率を計算する計算ステップと、
前記発現確率に基づき、前記商品の在庫数を決定し、前記メモリに格納する決定ステップとを有することを特徴とするデータ処理方法。
【請求項２】
前記決定ステップは、前記発現確率と、前記商品の在庫切れの危険率を示す所定値との比較により前記在庫数を決定することを特徴とする請求項1に記載されたデータ処理方法。
【請求項３】
前記受注履歴データの集計範囲は複数の範囲から選択可能であることを特徴とする請求項1または請求項2に記載されたデータ処理方法。
【請求項４】
前記演算ステップは、前記受注履歴データが統計学的に不充分な場合、前記商品に類似する商品の受注履歴データを利用することを特徴とする請求項1から請求項3の何れかに記載されたデータ処理方法。
【請求項５】
前記演算ステップは、季節変動係数を掛けた前記受注履歴データを使用して前記確率分布を演算することを特徴とする請求項1から請求項4の何れかに記載されたデータ処理方法。
【請求項６】
前記商品はビジネス消耗品であることを特徴とする請求項1から請求項5の何れかに記載されたデータ処理方法。
【請求項７】
前記商品はトナー、インク、トナーまたはインクが収容されたカートリッジ、感光体または感光体ユニットであることを特徴とする請求項1から請求項5の何れかに記載されたデータ処理方法。
【請求項８】
製造者から商品を受け取るマスタ倉庫、および、地理的に分散配置され、前記マスタ倉庫から配給される前記商品を顧客に配送する複数のブランチ倉庫間において、前記商品を配送する車両に設置されたモバイル端末装置と通信する通信部、および、メモリを有するデータ処理装置のCPUによるデータ処理方法であって、
請求項1から請求項7の何れかに記載されたデータ処理方法により決定され、前記メモリに格納された、前記複数のブランチ倉庫それぞれの前記商品の在庫数に基づき、前記マスタ倉庫および前記複数のブランチ倉庫間における前記商品の移動を指示する配送情報を生成する生成ステップと、
前記配送情報を前記モバイル端末装置に送信する送信ステップとを有することを特徴とするデータ処理方法。
【請求項９】
商品に関する顧客の受注履歴データおよび最新受注データが格納されたメモリを有するデータ処理システムであって、
前記メモリに格納された顧客の受注履歴データ、および、統計学的確率分布に基づき、前記顧客の次回の注文に関する標準的な確率分布を演算する演算手段と、
前記確率分布、および、前記メモリに格納された顧客ごとの最新受注データに基づき、顧客それぞれの受注確率を予測する予測手段と、
前記顧客ごとの受注確率に基づき、全顧客から受注し得る前記商品の受注数ごとに、その受注数が発現する確率を計算する計算手段と、
前記発現確率に基づき、前記商品の在庫数を決定し、前記メモリに格納する決定手段とを有することを特徴とするデータ処理システム。
【請求項１０】
さらに、製造者から商品を受け取るマスタ倉庫、および、地理的に分散配置され、前記マスタ倉庫から配給される前記商品を顧客に配送する複数のブランチ倉庫間において、前記商品を配送する車両に設置されたモバイル端末装置と通信する通信手段と、
前記決定手段により決定され、前記メモリに格納された、前記複数のブランチ倉庫それぞれの前記商品の在庫数に基づき、前記マスタ倉庫および前記複数のブランチ倉庫間における前記商品の移動を指示する配送情報を生成し、前記通信手段により、前記配送情報を前記モバイル端末装置に送信する生成手段とを有することを特徴とする請求項9に記載されたデータ処理システム。
【請求項１１】
請求項1から請求項8の何れかに記載されたデータ処理を実現することを特徴とするプログラム。
【請求項１２】
請求項11に記載されたプログラムが記録されたことを特徴とする記録媒体。
【手続補正３】
【補正対象書類名】明細書
【補正対象項目名】０００１
【補正方法】変更
【補正の内容】
【０００１】
【発明の属する技術分野】
本発明はデータ処理システムおよびその方法に関し、例えばトナーカートリッジなどのビジネス消耗品を効率的かつ効果的に在庫管理するデータ処理に関する。
【手続補正４】
【補正対象書類名】明細書
【補正対象項目名】００１１
【補正方法】変更
【補正の内容】
【００１１】
【発明が解決しようとする課題】
本発明は、例えばカートリッジなどのビジネス消耗品の在庫を効率的かつ効果的に決定することを目的とする。また、倉庫間における例えばカートリッジなどのビジネス消耗品の移動を適正に指示することを目的とする。
【手続補正５】
【補正対象書類名】明細書
【補正対象項目名】００１３
【補正方法】変更
【補正の内容】
【００１３】
本発明にかかるデータ処理方法は、商品に関する顧客の受注履歴データおよび最新受注データが格納されたメモリを有するデータ処理装置のCPUによるデータ処理方法であって、前記メモリに格納された顧客の受注履歴データ、および、統計学的確率分布に基づき、前記顧客の次回の注文に関する標準的な確率分布を演算する演算ステップと、前記確率分布、および、前記メモリに格納された顧客ごとの最新受注データに基づき、顧客それぞれの受注確率を予測する予測ステップと、前記顧客ごとの受注確率に基づき、全顧客から受注し得る前記商品の受注数ごとに、その受注数が発現する確率を計算する計算ステップと前記発現確率に基づき、前記商品の在庫数を決定し、前記メモリに格納する決定ステップとを有することを特徴とする。
【手続補正６】
【補正対象書類名】明細書
【補正対象項目名】００１４
【補正方法】変更
【補正の内容】
【００１４】
また、製造者から商品を受け取るマスタ倉庫、および、地理的に分散配置され、前記マスタ倉庫から配給される前記商品を顧客に配送する複数のブランチ倉庫間において、前記商品を配送する車両に設置されたモバイル端末装置と通信する通信部、および、メモリを有するデータ処理装置のCPUによるデータ処理方法であって、上記のデータ処理方法により決定され、前記メモリに格納された、前記複数のブランチ倉庫それぞれの前記商品の在庫数に基づき、前記マスタ倉庫および前記複数のブランチ倉庫間における前記商品の移動を指示する配送情報を生成する生成ステップと、前記配送情報を前記モバイル端末装置に送信する送信ステップとを有することを特徴とする。
【手続補正７】
【補正対象書類名】明細書
【補正対象項目名】００１５
【補正方法】変更
【補正の内容】
【００１５】
本発明にかかるデータ処理システムは、商品に関する顧客の受注履歴データおよび最新受注データが格納されたメモリを有するデータ処理システムであって、前記メモリに格納された顧客の受注履歴データ、および、統計学的確率分布に基づき、前記顧客の次回の注文に関する標準的な確率分布を演算する演算手段と、前記確率分布、および、前記メモリに格納された顧客ごとの最新受注データに基づき、顧客それぞれの受注確率を予測する予測手段と、前記顧客ごとの受注確率に基づき、全顧客から受注し得る前記商品の受注数ごとに、その受注数が発現する確率を計算する計算手段と、前記発現確率に基づき、前記商品の在庫数を決定し、前記メモリに格納する決定手段とを有することを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】０１４８
【補正方法】変更
【補正の内容】
【０１４８】
【発明の効果】
以上説明したように、本発明によれば、例えばカートリッジなどのビジネス消耗品の在庫を効率的かつ効果的に決定することができる。また、倉庫間における例えばカートリッジなどのビジネス消耗品の移動を適正に指示することができる。